(57)【特許請求の範囲】
【請求項１】
液剤を収容する容器本体の口縁に、複数本の櫛歯片を列設したキャップを取付けて、該容器本体内に収容した液剤を該櫛歯片から注出可能にした櫛付き容器において、
前記キャップは、前記容器本体に取付ける有蓋筒形のキャップ筒と、該キャップ筒の上部に設けた取付枠と、該取付枠上に立設された前記櫛歯片とからなり、
前記櫛歯片には、内部に前記容器本体内に連通する連通孔を通じて前記液剤を前記櫛歯片間に注出する注出口が形成され、また、隣接する他の櫛歯片に対向する櫛歯面に注出された前記液剤を貯溜する凹部が縦方向に一つの凹面によって形成されていることを特徴とする櫛付き容器。
【発明の詳細な説明】
【０００１】
【発明の属する技術分野】
この発明は、容器本体に充填された毛染め料や頭髪料などの液剤を、容器本体から頭髪に直接塗布するための櫛付き容器に関する。
【０００２】
【従来の技術】
容器内に溜められている毛染め料や頭髪料などの液剤を、頭髪に直接塗布できるように、容器本体に櫛歯片を列設したキャップを取付けた櫛付き容器が広く使用されている。これら櫛付き容器では、特開平１０−１３７０２９号公報などに開示されているように、列設された櫛歯片の各中間部に注出口を形成し、この注出口から液剤を注出可能にしている。かかる櫛付き容器では、注出口から流出した液剤を毛髪に塗布するものであるが、毛髪に均等に付着されなかったり、液剤が垂れ落ちたりすることがあった。
【０００３】
これらを解決するために、特開２００１−２７５７３９号公報には、櫛歯片の注出口より先側に、横方向に複数の溝と突条とを設けて凹凸形状として、櫛歯片先端からの液剤のタレ落ちを防止する櫛付き容器が開示されている。
また、特開２００１−２７５７５２号公報には、櫛歯の先端部を玉状に膨出させた突片を設けて、櫛歯片の先端からの液剤のタレ落ちを防止する櫛付き容器が開示されている。
【０００４】
【発明が解決しようとする課題】
しかし、特開２００１−２７５７３９号公報に開示された櫛付き容器では、薄い櫛歯片の先端に横溝と横突条を設けて凹凸形状にしているために、櫛歯片の先端が剛性に欠けることになり、安定して頭髪を梳くことが難しくなり易い。一方、剛性を高めるために浅い凹凸形状にすると、十分に液剤のタレ落ちを防止することができなかった。また、特開２００１−２７５７５２号公報に開示された櫛付き容器では、櫛歯片の先端部に膨出させた突片を設けているために、注出口から流出した液剤が毛髪の根本まで届きにくくなり、均等に液剤を塗布することが困難になる。また、薄い櫛歯片の先端部に膨出させた突片を設けているために、その成形型に割型を用いる等、その成形が容易ではないという課題を有している。
【０００５】
そこで、本発明では、櫛歯片には、隣接する他の櫛歯片に対向する櫛歯面に注出された液剤を貯溜する凹部が縦方向に形成している。
【０００６】
【課題を解決するための手段】
請求項１の発明では、櫛歯片に、隣接する他の櫛歯片に対向する櫛歯面に注出された液剤を貯溜する凹部が縦方向に一つの凹面によって形成されている。これにより、頭髪に液剤を塗布するに際しては、各櫛歯片によって梳かれた頭髪は各櫛歯片間で髪束になる。注出口から流出した液剤は、各髪束に塗布される。ここで、過剰な液剤は髪束によって凹部へ移動して貯留され、櫛歯片の先端からタレ落ちることが防止される。そして、注出口から液剤を流出させないで、頭髪を繰り返して梳くと、凹部に貯留された液剤が頭髪に塗布されて、液剤のタレ落ちが防止されるとともに、液剤が頭髪に均等に塗布される。
【０００７】
【発明の効果】
以上説明したように、請求項１の発明では、隣接する他の櫛歯片に対向する櫛歯面に注出された液剤を貯溜する凹部を縦方向に一つの凹面によって形成することによって、頭髪に液剤を塗布するに際して、タレ落ちにくく、均等に液剤を塗布できる櫛付き容器とすることができる。
【０００８】
【発明の実施の形態】
以下、この発明を液剤として頭髪染色液を充填した櫛付き容器に適用した実施例１を図１〜図５を参照して説明する。
この実施例１では、図１、２に示すように、有底筒状とされた容器本体１の広口の口縁１ａの外周に雄ねじ部１ｂが形成されている。この口縁１ａにキャップ２が密閉状に取付けられている。
【０００９】
キャップ２は、円筒状のキャップ体２０と、このキャップ体２０に嵌着される櫛体３０とにより構成され、それぞれがプラスチックの一体成形により形成されている。キャップ体２０の内周には口縁１ａの雄ねじ部１ｂに外螺合する雌ねじ部が設けられて、頭髪染色液の液漏れが防止されている。また、キャップ体２０の頂面に略長方形の取付枠２１が一体形成されている。
【００１０】
櫛体３０は、その下部に取付ベース３１が設けられていて、下面側に取付枠２１を挟着する二重の略長方枠が設けられていて、頭髪染色液が液漏れしないように取付けられている。
【００１１】
この取付ベース３１の上面中央に薄肉の平板状の６本の櫛歯片３２が立設され、さらに６本の櫛歯片３２の両側に同形の端部櫛歯片３３、３３が立設されて、合計８本の櫛歯片３２，３３により櫛歯列が形成されている。各櫛歯片３２は、図１に示すように、その内部に容器本体１内に連通する連通孔３４が取付ベース３１の下面から略３／４の高さ位置まで形成されている。そして、この連通孔３４の先端が、櫛歯片３２の側面、すなわち、隣接する櫛歯片３２、３３に向けて開口する注出口３５に連通している。これによって、容器本体１内に収容されている頭髪染色液が、櫛歯片３２、３３の間に注出可能とされている。なお、櫛歯列の外側に位置する両端部櫛歯片３３、３３には、連通孔３５が設けられていないために、櫛歯列の外側に頭髪染色液が流れ出ることはない。
【００１２】
さて、図４、図５に示すように、櫛歯片３２、３３は、隣接する櫛歯片３２、３３に対向する櫛歯面３６に、縦方向に中央が最も凹んだ凹部３７が形成されている。この実施例１では、この凹部３７は、櫛歯面３６の前後端にわたり一つの凹面により構成されて、櫛歯片面の中央に流出された頭髪染色液がこの凹面内に貯溜可能とされている。これにより、図５に示すように、頭髪に頭髪染色液を塗布するに際して、頭髪は各櫛歯片３２，３３によって梳かれて、それぞれ髪束Ａになるが、櫛歯片３２，３３の中央が最も凹んだ凹部３７になっているために、この中央の凹部３７に隙間Ｖが形成される。従って、髪束Ａは、中間部よりも前後端で軽くしごかれることになり、注出口３５から過剰な頭髪染色液が流出しても、この過剰な頭髪染色液は、間隙Ｖ内に保持、貯留される。これによって、過剰な頭髪染色液は櫛歯片３２，３３からタレ落ちることが防止される。そして、注出口３５からの頭髪染色液の流出を止めた状態で繰り返し頭髪を梳くことによって、間隙Ｖ内の液剤が髪束Ａに順次塗布され、均等に塗布される。
【図面の簡単な説明】
【図１】  縦断正面図
【図２】  縦断側面図
【図３】キャップの斜視図
【図４】平面図
【図５】頭髪を梳いている状態を示す説明図。
【符号の説明】
１…容器本体
２…キャップ
２０…キャップ体
２１…取付枠
３２…櫛歯片
３３…端部櫛歯片
３４…連通孔
３５…注出口
３６…櫛歯面
３７…凹部
【図１】
0003749495.tif 000002
【図２】
0003749495.tif 000003
【図３】
0003749495.tif 000004
【図４】
0003749495.tif 000005
【図５】
0003749495.tif 000006